(57)【要約】【課題】自然獣毛を切断して有根獣毛と無根獣毛とに分離した際、当該切断部が人間の頭皮に接触すると不快感を惹起させるので、当該不快感を除去せんとする。【解決手段】動物の獣毛が植毛されているブラシであって、動物から抜去された自然獣毛が適宜の寸法に切断され、当該切断面が研磨された毛根部を含まない無根獣毛が形成され、ブラシ基体に前記無根獣毛がその被研磨部が毛先となるように植毛されていることを特徴とするブラシ。【選択図】図６
2004141599.tif 000002
【特許請求の範囲】
【請求項１】
動物の獣毛が植毛されているブラシであって、動物から抜去された自然獣毛が適宜の寸法に切断され、当該切断面が研磨された毛根部を含まない無根獣毛が形成され、ブラシ基体に前記無根獣毛がその被研磨部が毛先となるように植毛されていることを特徴とするブラシ。
【請求項２】
動物の獣毛が植毛されているブラシであって、動物から抜去された自然獣毛が適宜の寸法に切断されることによって、毛根部を含む有根獣毛と、切断面が研磨された毛根部を含まない無根獣毛とが設けられ、ブラシ基体に、前記有根獣毛はその毛根部が毛先となるように植毛されていると共に、前記無根獣毛はその被研磨部が毛先となるように植毛されていることを特徴とするブラシ。
【請求項３】
有根獣毛の切断面も研磨されている請求項２記載のブラシ。
【請求項４】
有根獣毛は無根獣毛よりも毛足が長く形成されている請求項２もしくは請求項３記載のブラシ。
【請求項５】
動物の獣毛を植毛してブラシを製造する方法であって、動物から抜去した自然獣毛を適宜の寸法に切断して毛根部を含まない無根獣毛を形成し、前記無根獣毛の切断面を研磨して、ブラシ基体に前記無根獣毛をその被研磨部が毛先となるように植毛することを特徴とするブラシの製造方法。
【請求項６】
動物の獣毛を植毛してブラシを製造する方法であって、動物から抜去した自然獣毛を適宜の寸法に切断して毛根部を含む有根獣毛と毛根部を含まない無根獣毛とに分離し、前記無根獣毛の切断面を研磨して、ブラシ基体に、前記有根獣毛をその毛根部が毛先となるように植毛すると共に、前記無根獣毛をその被研磨部が毛先となるように植毛することを特徴とするブラシの製造方法。
【請求項７】
有根獣毛の切断面も研磨する請求項６記載のブラシの製造方法。
【請求項８】
１本の自然獣毛から、複数本の無根獣毛が切断形成される請求項５ないし請求項７のいずれかに記載のブラシの製造方法。
【発明の詳細な説明】
【０００１】
【発明の属する技術分野】
本発明は、獣毛が植毛されているブラシに関するものである。
【０００２】
【従来の技術】
従来、獣毛が植毛されているブラシでは、頭皮への感触性を向上させるため、毛根部を含む有根獣毛が、その毛根部が毛先となるようにブラシ基体に植毛されている。
【０００３】
毛根部は端部が球根状に形成されているので、当該毛根部が毛先となるように植毛されていると、ブラシで髪を梳かす際に当該毛根部が頭皮に接触し、その感触は快適なものとなる。
【０００４】
一般に、ブラシの獣毛の毛足は２ｃｍないし３ｃｍ程度であり、通常はその２倍の長さに切断した獣毛を二つ折りにし、その折返部をブラシ基体に植毛するものである。
【０００５】
従って、毛根部が毛先となるようにするには、１本の自然獣毛をその毛根部から４ｃｍないし６ｃｍ程度の所で切断してその有根獣毛のみを利用することが考えられるが、例えば豚の自然獣毛（動物から抜去した状態の獣毛）はその長さが１０ｃｍ以上あるので、切断残部である毛根部を含まない相当の部分（無根獣毛）を廃棄することになり、非効率的で不経済である。
【０００６】
【発明が解決しようとする課題】
そこで、無根獣毛もブラシ植毛用として利用しているが、自然獣毛を切断した際の切断面は角張っていたりバリが形成されており、無根獣毛が前記切断部が毛先となるようにブラシ基体に植毛されると、ブラシで髪を梳かす際に前記切断部が頭皮に接触し、その感触は快適なものとはいえなくなる。
【０００７】
本発明は、かかる従来のブラシの獣毛の有する課題に鑑みてなされたもので、無根獣毛を利用しても、ブラシで髪を梳かす際にその感触は快適なものとすることが可能なブラシと当該ブラシの製造方法に関するものである。
【０００８】
【課題を解決するための手段】
第１の発明は、動物の獣毛が植毛されているブラシであって、動物から抜去された自然獣毛が適宜の寸法に切断され、当該切断面が研磨された毛根部を含まない無根獣毛が形成され、ブラシ基体に前記無根獣毛がその被研磨部が毛先となるように植毛されていることを特徴とするものである。
【０００９】
本発明では、ブラシ基体に無根獣毛がその被研磨部が毛先となるように植毛されているので、ブラシで髪を梳かす際に前記被研磨部が頭皮に接触し、その感触は快適なものとなる。
【００１０】
第２の発明は、動物の獣毛が植毛されているブラシであって、動物から抜去された自然獣毛が適宜の寸法に切断されることによって、毛根部を含む有根獣毛と、切断面が研磨された毛根部を含まない無根獣毛とが設けられ、ブラシ基体に、前記有根獣毛はその毛根部が毛先となるように植毛されていると共に、前記無根獣毛はその被研磨部が毛先となるように植毛されていることを特徴とするものである。
【００１１】
本発明では、ブラシ基体に、有根獣毛がその毛根部が毛先となるように植毛されていると共に、無根獣毛がその被研磨部が毛先となるように植毛されているので、ブラシで髪を梳かす際に前記毛根部と被研磨部が頭皮に接触し、その感触は快適なものとなる。
【００１２】
第３の発明は、前記第２の発明を前提とし、有根獣毛の切断面も研磨されているブラシである。
【００１３】
本発明では、有根獣毛の、毛根部とは反対側の切断面も研磨されているので、当該有根獣毛を中央部で二つ折りして当該折返部をブラシ基体に植毛し、前記毛根部と研磨部が共に頭皮に接触してもその感触は快適なものとなる。
【００１４】
第４の発明は、前記第２もしくは第３の発明を前提とし、有根獣毛は無根獣毛よりも毛足が長く形成されているブラシである。
【００１５】
本発明では、有根獣毛は無根獣毛よりも毛足が長く形成されているので、ブラシで髪を梳かす際に、主として毛根部が頭皮に接触し、その感触は快適なものとなる。
【００１６】
第５の発明は、動物の獣毛を植毛してブラシを製造する方法であって、動物から抜去した自然獣毛を適宜の寸法に切断して毛根部を含まない無根獣毛を形成し、前記無根獣毛の切断面を研磨して、ブラシ基体に前記無根獣毛をその被研磨部が毛先となるように植毛することを特徴とするものである。
【００１７】
本発明では、動物から抜去した自然獣毛を適宜の寸法に切断して毛根部を含まない無根獣毛を形成し、前記無根獣毛の切断面を研磨して、ブラシ基体に前記無根獣毛をその被研磨部が毛先となるように植毛するので、無根獣毛を活用しても、ブラシで髪を梳かす際に被研磨部が頭皮に接触し、その感触は快適なものとなり、効率的で安価、且つ頭皮への感触性の高いブラシを製造することが可能となる。
【００１８】
第６の発明は、動物の獣毛を植毛してブラシを製造する方法であって、動物から抜去した自然獣毛を適宜の寸法に切断して毛根部を含む有根獣毛と毛根部を含まない無根獣毛とに分離し、前記無根獣毛の切断面を研磨して、ブラシ基体に、前記有根獣毛をその毛根部が毛先となるように植毛すると共に、前記無根獣毛をその被研磨部が毛先となるように植毛することを特徴とするものである。
【００１９】
本発明では、動物から抜去した自然獣毛を適宜の寸法に切断して毛根部を含む有根獣毛と毛根部を含まない無根獣毛とに分離し、前記無根獣毛の切断面を研磨して、ブラシ基体に、前記有根獣毛をその毛根部が毛先となるように植毛すると共に、前記無根獣毛をその被研磨部が毛先となるように植毛するので、自然獣毛を完全利用できると共に、ブラシで髪を梳かす際に、毛根部と被研磨部が頭皮に接触してその感触は快適なものとなり、効率的で安価且つ頭皮への感触性の高いブラシを製造することが可能となる。
【００２０】
第７の発明は、前記第６の発明を前提とし、有根獣毛の切断面も研磨するブラシの製造方法である。
【００２１】
本発明では、有根獣毛の、毛根部とは反対側の切断面も研磨されているので、当該有根獣毛を中央部で二つ折りして当該折返部をブラシ基体に植毛し、前記毛根部と研磨部が共に頭皮に接触してもその感触は快適なものとなる。
【００２２】
第８の発明は、前記第６もしくは第７の発明を前提とし、１本の自然獣毛から、複数本の無根獣毛を切断形成するブラシの製造方法である。
【００２３】
本発明では、１本の自然獣毛から、複数本の無根獣毛が切断形成されるので、より効率的で安価なブラシを製造することが可能となる。
【００２４】
【発明の実施の形態】
図面はいずれも本発明の実施の形態を示すもので、図１は豚から抜去した自然獣毛の束の平面図、図２は毛根部の拡大平面図、図３は切断部の側面を示す拡大平面図、図４は切断面を研磨する状態を示す図、図５は被研磨部の側面を示す拡大平面図そして図６はブラシの側面図である。
【００２５】
図１において２点鎖線は自然獣毛１の切断位置を示し、Ｉで示す切断部によって切断された左側の有根獣毛１ａを一切り、Ｉで示す切断部とＩＩで示す切断部によって切り出された中央の無根獣毛１ｂを二切り、そして右側の無根獣毛１ｂを三切りと称される。
【００２６】
１ａは毛根部２を有する有根獣毛を示し、１ｂは毛根部２を有さない無根獣毛を示している。
【００２７】
毛根部は図２に示すように端部が球根状になっており、この毛根部２は人間の頭皮に接触しても違和感がなく不快感を惹起させることはない。
【００２８】
一方、図３に示すように、切断部３にはバリが形成されたり、角張っているので、この切断部３がこのままの状態で人間の頭皮に接触すると当該頭皮を擦過することになり、不快感を惹起させることになる。
【００２９】
そこで、図４に示すように、有根獣毛１ａの切断部３を回転する研磨砥石４によって研磨し、更に無根獣毛１ｂの両端部を回転する研磨砥石４によって研磨すると、図５に示すようにその切断面からバリが除去され若干丸みを帯びた被研磨部５が形成される。
【００３０】
従って、図６に示すように、前記有根獣毛１ａと無根獣１毛ｂを夫々中央部で二つ折りし当該折返部をブラシ基体６に植毛しても、人間の頭皮には毛根部２と被研磨部５のみが接触するので、不快感を惹起させることはない。
【００３１】
なお、有根獣毛１ａや無根獣１毛ｂをその毛足を更に短く切断し、それらを二つ折りすることなく１本ずつブラシ基体６に植毛することが考えられるが、その場合には、研磨していない切断面３の部分をブラシ基体６に植毛すれば、この場合も、前述と同様に人間の頭皮には毛根部２と被研磨部５のみが接触するので、不快感を惹起させることはない。
【００３２】
なお、前記有根獣毛１ａの毛足は無根獣毛１ｂの毛足よりも長寸に形成されている。
【００３３】
なお、自然獣毛１が長寸である場合には、１本の自然獣毛１から多数の植毛用の獣毛１ａ、１ｂ・・（一切り、二きり、三切り・・・）を製造することが可能となる。
【００３４】
【発明の効果】
第１の発明では、ブラシ基体に無根獣毛がその被研磨部が毛先となるように植毛されているので、ブラシで髪を梳かす際に前記被研磨部が頭皮に接触し、その感触は快適なものとなる。
【００３５】
第２の発明では、ブラシ基体に、有根獣毛がその毛根部が毛先となるように植毛されていると共に、無根獣毛がその被研磨部が毛先となるように植毛されているので、ブラシで髪を梳かす際に前記毛根部と被研磨部が頭皮に接触し、その感触は快適なものとなる。
【００３６】
また、無根獣毛を充分に活用できるので、１本の自然獣毛から効率よく植毛用の獣毛を製造でき安価で且つ快適なブラシを実現することができる。
【００３７】
第３の発明では、有根獣毛の、毛根部とは反対側の切断面も研磨されているので、当該有根獣毛を中央部で二つ折りして当該折返部をブラシ基体に植毛し、前記毛根部と研磨部が共に頭皮に接触してもその感触は快適なものとなる。
【００３８】
第４の発明では、有根獣毛は無根獣毛よりも毛足が長く形成されているので、ブラシで髪を梳かす際に、主として毛根部が頭皮に接触し、その感触は快適なものとなる。
【００３９】
第５の発明では、動物から抜去した自然獣毛を適宜の寸法に切断して毛根部を含まない無根獣毛を形成し、前記無根獣毛の切断面を研磨して、ブラシ基体に前記無根獣毛をその被研磨部が毛先となるように植毛するので、無根獣毛を活用しても、ブラシで髪を梳かす際に被研磨部が頭皮に接触し、その感触は快適なものとなり、効率的で安価、且つ頭皮への感触性の高いブラシを製造することが可能となる。
【００４０】
第６の発明では、動物から抜去した自然獣毛を適宜の寸法に切断して毛根部を含む有根獣毛と毛根部を含まない無根獣毛とに分離し、前記無根獣毛の切断面を研磨して、ブラシ基体に、前記有根獣毛をその毛根部が毛先となるように植毛すると共に、前記無根獣毛をその被研磨部が毛先となるように植毛するので、自然獣毛を完全利用できると共に、ブラシで髪を梳かす際に、前記毛根部と被研磨部が頭皮に接触してその感触は快適なものとなり、効率的で安価且つ頭皮への感触性の高いブラシを製造することが可能となる。
【００４１】
第７の発明では、有根獣毛の、毛根部とは反対側の切断面も研磨されているので、当該有根獣毛を中央部で二つ折りして当該折返部をブラシ基体に植毛し、前記毛根部と研磨部が共に頭皮に接触してもその感触は快適なものとなる。
【００４２】
第８の発明では、１本の自然獣毛から、複数本の無根獣毛が切断形成されるので、より効率的で安価なブラシを製造することが可能となる。
【図面の簡単な説明】
【図１】豚から抜去した自然獣毛の束の平面図である。
【図２】毛根部の拡大平面図である。
【図３】切断部の側面を示す拡大平面図である。
【図４】切断面を研磨する状態を示す図である。
【図５】被研磨部の側面を示す拡大平面図である。
【図６】ブラシの側面図である。
【符号の説明】
１　　自然獣毛
１ａ　有根獣毛
１ｂ　無根獣毛
２　　毛根部
３　　切断部
４　　研磨砥石
５　　被研磨部
６　　ブラシ基体
【図１】
2004141599.tif 000003
【図２】
2004141599.tif 000004
【図３】
2004141599.tif 000005
【図４】
2004141599.tif 000006
【図５】
2004141599.tif 000007
【図６】
2004141599.tif 000008